(57)【要約】【目的】画面サイズの小さいインスタントフイルムの厚みを薄くする。【構成】ポジ画像の転写範囲に対応する開口２０ａが形成されたマスクシート２０に開口２０ａを覆うように感光シート２１とカバーシート２６とを接合する。感光シート２１から突出するマスクシート２０の一端及び他端の縁をそれぞれ折り返して折り返した内側にポッド材２４とトラップ材２５とを封止する。感光シート２１に露光を与えた後にポッド材２４から現像処理液を吐出させて感光シート２１とカバーシート２６との間に現像処理液を展開することにで感光シート２１の受像面に形成された潜像を画像形成面にポジ画像として転写する。フイルムユニット１３は、開口２０ａを除き、かつポッド材２４やトラップ材２５などを収納する余白部分に対して開口２０ａとの面積比を１．２以下、好ましくは１．３以下となるサイズで作られている。【選択図】　　　　図２
2004144825.tif 000002
【特許請求の範囲】
【請求項１】
ポジ画像の転写範囲に対応する開口が形成されたマスクシートに前記開口を覆うように感光シートとカバーシートとを隙間を空けて接合し、前記感光シートの対向する辺から突出したマスクシートの一端及び他端の縁をそれぞれ折り返すとともに、前記一端の折り返し部の内側にポッド材を、また他端の折り返し部の内側にトラップ材を設け、前記感光シートに露光を与えた後に前記ポッド材から現像処理液を吐出させて、前記感光シートとカバーシートとの隙間に前記一端から他端に向かって展開することにより、前記感光シートの受像面に形成された潜像を画像形成面にポジ画像として転写し、かつ他端から流出する現像処理液の余剰分をトラップ材で捕捉するようにしたインスタントフイルムユニットであって、前記開口を除き、かつ前記ポッド材やトラップ材などを収納する余白部分に対して前記開口との面積比を１．２以下、好ましくは１．３以下としたことを特徴とするインスタントフイルムユニット。
【請求項２】
前記開口の縦横の長さの比を３：４としたことを特徴とする請求項１記載のインスタントフイルムユニット。
【発明の詳細な説明】
【０００１】
【発明の属する技術分野】
本発明は、自己現像処理型のインスタントフイルムユニットに関するものである。
【０００２】
【従来の技術】
インスタントフイルムユニットにはピールアパート型のものとモノシート型のものとがあり、いずれも撮影したその場でプリント写真が得られるという特長を備えている。特にモノシート型のものは、インスタントカメラに装填して撮影を行った後にモータの駆動で露光済みのインスタントフイルムを自動的にカメラ外に排出することができ、インスタントカメラとともに一般に広く普及している。
【０００３】
モノシート型のインスタントフイルムは、露光により受像面に潜像が形成され、画像形成面にポジ画像が転写される感光シートと、この感光シートと重ねられるカバーシートと、これらのシート間に展開される現像処理液を封入した現像液ポッドと、展開後の余剰の現像処理液を捕捉するトラップ材などを含み、さらにこれらの構成部材は白色のマスクシートとスペーサとによって一体に結合されている（特許文献１）。マスクシートには、ポジ画像の転写範囲に対応する開口が形成され、開口の片面に感光シートとカバーシートとが重ねて接合される。スペーサは感光シートとカバーシートとの間に隙間を作るためのものである。
【０００４】
特許文献１公報に記載のインスタントフイルムユニット（以下、「フイルムユニット］）は、名刺やクレジットカードとほぼ同じ大きさ（以下、カードサイズと呼ぶ）のサイズとして、また、前記公報記載のインスタントカメラは、「チェキ」という商品名でそれぞれ販売されている。これにより、インスタントカメラが持つ撮影直後に画像を観賞できる即時性と、フイルムユニットのサイズが定期入れにも収まる手軽なサイズ（幅５４ｍｍ×長さ８６ｍｍ）であることとが相俟って、若年層を中心に人気を得ている。
【０００５】
このフイルムユニットは、一般に広く普及している名刺ホルダに収納できるサイズなので、複数枚の撮影済みのフイルムユニット（写真プリント）の整理もしやすい。また、この写真プリントを収納した名刺ホルダーを複数枚綴れば簡単にアルバムを作成することもでき、写真プリントを整理した状態で観賞することができる。
【０００６】
そこで、このカードサイズのフイルムユニットの手軽さをさらに追求するために、このフイルムユニットのほぼ半分のサイズのハーフカードサイズと呼ばれるフイルムユニットが望まれている。
【０００７】
【特許文献１】
特開平１１−３１６４１２号公報
【０００８】
【発明が解決しようとする課題】
しかしながら、前述した公報記載のフイルムユニットでは、マスクシートに設けた開口から露呈する感光シートに展開するために必要な現像液量は決まっているため、その公報記載のフイルムユニットの開口と外形サイズとの比率で小型サイズのフイルムユニットを作ると厚みが厚くなる。というのは、フイルムユニットは、マスクシートの開口に対して外形寸法を小さくすると、現像液を貯めるポッド部、展開する隙間、及び補足するトラップ部の厚みを厚くする必要があるためである。このように厚みが厚くなるとホルダやアルバムに収納したときに嵩張って携帯しづらい面がある。また、外形寸法が小さいと製造時などで取り扱いづらい欠点がある。
【０００９】
この問題を解決するために、本発明は、小型のホルダやアルバムに収納しても頬張ることがない厚みの小型サイズのフイルムユニットを提供することを目的とする。
【００１０】
【課題を解決するための手段】
上記問題点を解決するために、本発明のフイルムユニットでは、ポジ画像の転写範囲に対応する開口を除き、かつポッド材やトラップ材などを収納する余白部分に対して前記開口との面積比を１．２以下、好ましくは、１．３以下としたものである。また、一般的に液晶表示画面やモニタの画面は縦横比が３：４となっているので、これに開口の縦横比を合わせておくと、例えば画像処理などでトリミングする手間を省略することができる。
【００１１】
【発明の実施の形態】
フイルムユニット１３は、図１に示すように、厚みの薄いシート状となっており、インスタントカメラでの排出方向の下流側（上端）から現像液ポッド部１３ａ、露光部１３ｂ、及びトラップ部１３ｃとが順に設けられた自己現像処理型のフイルムである。露光部１３ｂは、露光面１３ｄとなる感光層、白色の拡散反射層、及びバック面１３ｅとなるカバーシートとから構成されている。現像液ポッド部１３ａには、現像処理液が封入されている。感光層とカバーシートとの間に現像処理液が展開されると、感光層に記録された潜像が拡散反射層を通してポジ像として受像層に転写される。受像層に転写された像は、バック面１３ｅからポジ像として観察される。トラップ部１３ｃは、感光層とカバーシートとの間に展開して余った現像処理液を捕捉して硬化させる。露光部１３ｂの厚みは、現像液ポッド部１３ａ及びトラップ部１３ｃよりも薄くなっている。このフイルムユニット１３は、最後まで１枚のシートとして取り扱うことができるモノシートタイプとなっている。
【００１２】
フイルムユニット１３は、図２及び図３に示すように、マスクシート２０、感光シート２１、一対のスペーサ２２，２３、現像液ポッド２４、トラップ材２５、及びカバーシート２６から構成されている。なお、図２及び図３では、フイルムユニット１３をバック面１３ｅ側から見た姿勢で記載している。
【００１３】
マスクシート２０は薄いプラスチックでシート状に形成され、開口２０ａが形成されている。開口２０ａの縁は、カメラでの露光範囲を規制するマスクとなる。マスクシート２０の裏面２０ｂには接着剤が塗布されている。開口２０ａを挟んで現像処理液の展開方向（排出方向に対して逆方向）に沿った上下には、折り目２０ｃ，２０ｄに沿って折り返される折り返し部２０ｅ，２０ｆが設けられている。
【００１４】
感光シート２１は、幅方向（展開方向に対して直交方向）の長さがマスクシート２０と同一に形成されている。感光シート２１は、開口２０ａに対して中心合わせでマスクシート２０の裏面２０ｂに貼着される。
【００１５】
感光シート２１の裏面のうちの展開方向に対して直交方向に沿う両側縁には、スペーサ２２，２３が接着され、スペーサ２２，２３上にカバーシート２６の両側縁が接着される。このスペーサ２２，２３により、感光シート２１とカバーシート２６との間が一定の間隙に確保され、現像処理液がこの間に均等に展開される。
【００１６】
現像液ポッド２４は、略袋状に形成されており、その内部には現像処理液が封入されている。現像液ポッド２４がカメラの展開ローラで裂開されると現像液が展開され、感光シート２１のバック面１３ｅにポジ画像が出現する。
【００１７】
この現像液ポッド２４は感光シート２１の一部の上に接着され、マスクシート２０の一方の折り返し部２０ｆで包まれる。現像液ポッド２４が貼着される感光シート２１の一部２７は、従来アンダーシートという感光シートとは異なるもので補っていた（特開平１１−３１６４１２号公報図６参照）。
【００１８】
このアンダーシートは、現像液ポッド２４を受けて現像液ポッド２４に設けた現像処理液用の吐出口が感光シート２１とカバーシート２６との間に位置するように高さ調節するものである。これにより現像処理液が感光シート２１とカバーシート２６との間に流れ込みやくなる。しかも、感光シート２１のサイズを少なくしてコストダウンを図ることができる。しかし、アンダーシートと感光シートとのつなぎ目から現像処理液が漏れるなどの不都合が生じるおそれがある。そこで、本実施形態では、従来のアンダーシートを省略し、その分だけ感光シート２１のサイズを長くしてある。このようにすることでつなぎ目がなくなるため、前記不都合を確実に防止することができる。
【００１９】
トラップ材２５は、感光シート２１に対して排出方向の上流側に接着される。現像処理で余剰となった現像処理液はトラップ材２５により吸収されて捕捉される。このトラップ材２５もマスクシート２０の他方の折り返し部２０ｅで包まれる。
【００２０】
マスクシート２０の折り返し部２０ｅ，２０ｆは、折り目２０ｃ，２０ｄから図３（Ｃ）に示した矢印方向に折り返され、折り返し部２０ｅ，２０ｆの先端がカバーシート２６の裏面に接着される。これにより、現像液ポッド２４、トラップ材２５がマスクシート２０によって包み込まれて保持され、現像処理液がフイルムユニット１３の外部に漏れ出さないようになる。なお、上記フイルムユニット１３では、マスクシート２０によって感光シート２１の感光面のうちの周囲が隠されるため、フイルムユニット１３において実際に画像が表示される面積は開口２０ａの大きさとなる。
【００２１】
前記フイルムユニット１３は、インスタントフイルムパックに複数枚収納した状態でインスタントカメラに装填される。インスタントカメラは、撮影するごとに露光済みのフイルムユニット１３を１枚ずつ排出する。排出したフイルムユニット１３には、バック面１３ｅに画像が形成される。この画像は、カメラを通常の縦位置で撮影した場合、トラップ部１３ｃが上になる向きで画像が露光されている。
【００２２】
このようなフイルムユニット１３は、ホルダに保存することができる。ホルダは、外形寸法が横９１×縦１２８．５ｍｍのＢ７サイズとなっている。ホルダは、カバー、台紙、及び綴込用具とから構成されている。カバーは、表表紙、背表紙、及び裏表紙が一体になっている。綴込用具は、背表紙の内面に留具で留められており、複数枚の台紙を綴じ込むことができる。台紙には、両面に収納部が設けられている。収納部３１は、図４に示すように、フイルムユニット１３を２枚横に並べたサイズとなっており、台紙３０の片面に縦３列並んで設けられている。各収納部３１には、前記フイルムユニット１３を２枚ずつ収納することができる。
【００２３】
収納部３１は、前記横長矩形のサイズの透明のカバーシートの全周を台紙３０に貼り付けたものである。カバーシートは、横方向の中央が縦に開口３２しており、この開口３２を通して左右に１枚ずつフイルムユニット１３を収納することができる。
【００２４】
【実施例】
上記フイルムユニット１３は、開口２０ａの面積に応じた現像液量に対して従来技術で説明したフイルムユニットの外形サイズで作るとそのフイルムユニットの厚みが厚くなる。厚みが厚いとホルダに収納したときに嵩張って携帯しづらい面がある。
【００２５】
そこで、フイルムユニット１３の厚みを薄くすることができるように、その外形寸法を横３６×縦４１．５ｍｍ（総面積１４９４ｍｍ２　）とし、また、開口２０ａのサイズを縦２２．５×横３０ｍｍ（縦横比３：４）（面積６７５ｍｍ２　）としている。これは、開口２０ａの面積を展開するために必要な現像液量を一定にすると、開口２０ａの面積に対して外見寸法が従来よりも大きくなる。これにより、フイルムユニット１３の厚みを薄くすることができる。また、開口２０ａの縦横比を一般的な液晶表示画面やモニタ画面と同じ３：４の画面比率としたから、表示するときにトリミングする手間を省略することができる。
【００２６】
本発明では、開口２０ａ及び外形寸法を上記寸法に限らず、現像液ポッド部１３ａやトラップ部１３ｃからなる余白部分に対して開口２０ａとの面積比が１．２１３（（１４９４ｍｍ２　−６７５ｍｍ２　）８１９ｍｍ２　：６７５ｍｍ２　）以下、好ましくは１．３以下が好適である。また、現像処理液ポッドやトラップ部からなる余白部分に対して外形寸法との面積比が０．５（８１９ｍｍ２　：１４９４ｍｍ２　）以上になるようにしてある。このような比率でフイルムユニット１３の外形サイズ及び開口２０ａのサイズを作るのが望ましい。特に、前述した横３６×縦４１．５ｍｍのサイズでフイルムユニット１３を作ると、Ｂ７サイズのホルダの片面に６枚収納することができる。
【００２７】
また、マスクシート２０は、画面枠を構成する部材で、厚み１２μｍの透明ポリエチレンテレフタレート（ＰＥＴ）と厚み１２μｍのアルミ蒸着ＰＥＴを、両者を接着する厚み３μｍの接着剤層と共にラミネートした基材の一方の面に厚み約１２μｍの接着剤層（ＥＶＡ−ＳＢＳ系）、他方の面に厚み約９μｍの酸化チタンとシリカを含有した白色層及びグレーのロゴマーク印刷層を有し、総厚み４８μｍとなる。なお、不透明な白色で筆記性を持ちつつ、排出時の滑り性の高い材料であればこれに限ることはない。
【００２８】
スペーサ２２，２３は、展開厚みを制御するスペーサーとして機能し、感光シート２１とカバーシート２６を貼り合わせる機能も有する。このスペーサ２２，２３は、厚み３０μｍの透明ＰＥＴの一方の面に遮光層を１μｍ塗設し、その上に厚み１１μｍの接着剤（ＥＶＡ−ＳＢＳ系）を塗設、他方の面に厚み１１μｍの接着剤（ＥＶＡ−ＳＢＳ系）を塗設しており、平均厚みが５４μｍとなる。なお、感光シート２１側の接着力を確保するために必要に応じて接着剤厚みまたは接着剤処方を変更してもよいが、一方の厚みを増やした場合は総厚みを一定にするために、他方の厚みをその分減少する必要がある。
【００２９】
感光シート２１は、微量の酸化チタンを含有する厚さ９０μｍのＰＥＴ支持体の一方の面にアセチルセルロース系のバック層を塗設し、他方の面上に、受像層、白色反射層、遮光層、赤感性乳剤層、緑感性乳剤層、青感性乳剤層、ＵＶ吸収剤層、保護層が順次塗設されている。各感性乳剤層の間には、混色防止層が設けられており、総厚みは約１２０μｍとなる。
【００３０】
カバーシート２６は、微量の青色染料を含有する厚み７５μｍのＰＥＴ支持体の一方の面にアセチルセルロース系のフィルター染料層を塗設し、他方の面上に、中和層、中和タイミング層、温度補償層が塗設されている。総厚みは約９０μｍである。
【００３１】
図５に示すように、現像処理液ポッド２４は、紙支持体にアルミ箔を貼り合わせＥＶＡ系接着剤を塗工した包材で、外形寸法横３０．６×縦９ｍｍとされており、現像処理液を６０〜８０μリットル内包する。現像処理液ポッド２４の中央部分には、ミッドシール４０が設けられている。ミッドシール４０は、現像処理液ポッド２４の外形左端から長さＤ１（１２．８ｍｍ）の位置に設けられ、横Ｄ２（５ｍｍ）×縦Ｄ３（１ｍｍ）の寸法となっている。また、現像処理液が流出する出口部分には、図中ハッチングで示すように、Ｄ４（１．２ｍｍ）の幅で接合力の弱シールが施されている。
【００３２】
上記ミッドシール４０は、弱シールが破れて現像処理液が出口部分からから流出する際に、中央部よりも両サイドから流出する現像処理液の量を多くして、画面全体に均等に現像処理液が展開されるようにする。
【００３３】
現像液ポッド２４を収納した現像液ポッド部１３ａは、図６に示すように排出方向に沿う長さＤ５をコメント等を書き込めるように１２．５１ｍｍとしてある。また、トラップ材２５を収納したトラップ部１３ｃの排出方向に沿う長さＤ６を６．５ｍｍとしている。また、スペーサ２２，２３が背後にある横枠の幅Ｄ７は左右とも２．９ｍｍとしてある。
【００３４】
フイルムユニット１３のバック面１３ｅ側を示す図７において、トラップ部１３ｃの中央部には未シール部とすることにより１個のエア穴４３が形成されている。このエア穴４３は、フイルムユニット１３の左端から距離Ｄ８（１５．５ｍｍ）の位置に形成され、幅Ｄ９（５ｍｍ）のサイズとしてある。トラップ部１３ｃの感光シート２１側のシール幅Ｄ１０は０．７ｍｍ、左右側のシール幅Ｄ１１はともに２．２ｍｍであるが、一方の後端部分４５のシール幅Ｄ１２は３ｍｍ、インスタントカメラの掻き出し用のクロー部材が係合する部分４６のシール幅Ｄ１３は十分な強度を得るため３．５ｍｍとしてある。また、スペーサ２２，２３の幅Ｄ１４は左右ともに２．２ｍｍである。また、現像液ポッド部１３ａの折り返し幅Ｄ１５は１１．８ｍｍ、左右両側のシール幅Ｄ１６は２．２ｍｍ、感光シート２１側のシール幅Ｄ１７は１ｍｍである。
【００３５】
上記実施形態のフイルムユニット１３では、ポジ画像の転写範囲に対応する開口２０ａが形成されたマスクシート２０の片面に前記開口２０ａを覆うように感光シート２１とカバーシート２６とをそれぞれ隙間を空けて重ね合わしているが、開口２０ａを挟んだ両面に感光シート２１とカバーシート２６とをそれぞれ接合するようにしてもよい。
【００３６】
【発明の効果】
以上説明したように、本発明のインスタントフイルムパックでは、ポジ画像の転写範囲に対応する開口を除き、かつポッド材やトラップ材などを収納する余白部分に対して前記開口との面積比を１．２以下、好ましくは、１．３以下としたから、フイルムユニットの厚みを薄くすることができる。
【図面の簡単な説明】
【図１】本発明のフイルムユニットを示す分解斜視図である。
【図２】フイルムユニットの構成を示す分解斜視図である。
【図３】フイルムユニットの製造を順番に示す斜視図である。
【図４】フイルムユニットを収納する台紙を示す斜視図である。
【図５】現像液ポッドを示す正面図である。
【図６】フイルムユニットの感光面を示す正面図である。
【図７】マスクシートを示す背面図である。
【符号の説明】
１３　フイルムユニット
２０　マスクシート
２０ａ　開口
２１　感光シート
２２，２３　スペーサ
２４　現像液ポッド
２６　カバーシート
３０　台紙
【図１】
2004144825.tif 000003
【図２】
2004144825.tif 000004
【図３】
2004144825.tif 000005
【図４】
2004144825.tif 000006
【図５】
2004144825.tif 000007
【図６】
2004144825.tif 000008
【図７】
2004144825.tif 000009